(57)【特許請求の範囲】
【請求項１】
複数の照明エレメントの照明特性を制御する方法であって、
当該方法は、
それぞれの照明セグメントに駆動電流を供給するステップと、
それぞれの照明セグメントから放出された光の照明強度及び／又は色を検出するステップと、
予め決定された照明の設定に従って、それぞれの照明セグメントから放出された光の照明強度及び／又は色を調節するように、それぞれの照明セグメントの駆動電流を駆動信号のセットで調節するステップとを含み、
前記駆動信号のそれぞれのセットは、他の照明セグメントに対応する駆動信号の他のセットの周期とは異なる固有の周期を有しており、前記駆動信号のセットは、それぞれの対応する照明セグメントから放出される光の検出された照明強度及び／又は色に応答して生成され、
前記検出するステップは、
共通のセンサを使用して、それぞれの照明セグメントから放出された光の少なくとも１部の組み合わせからなる混合された照明強度及び／又は色を検出するサブステップと、
アナログ／デジタル変換器を使用して前記混合された照明強度及び／又は色を表すセンサ出力信号をデジタル信号に変換するサブステップと、
プロセッサを使用して前記デジタル信号に離散コサイン変換を施して、それぞれの照明セグメントから放出された光のそれぞれの照明強度及び／又は色を取得するサブステップと、を有する、ことを特徴とする方法。
【請求項２】
前記検出するサブステップは、
共通の光誘導手段を使用することで、それぞれの照明セグメントから放出された光の少なくとも１部を前記共通のセンサに誘導する、
請求項１記載の方法。
【請求項３】
それぞれの照明セグメントは、同じ照明セグメントにおける他のLEDアレイの色とは異なる色の少なくとも１つの独立に制御されるLEDアレイを有し、
それぞれのLEDアレイの駆動電流は、駆動信号の同じセットにおける個々の駆動信号により調節され、
前記同じセットにおける駆動信号のそれぞれは、同じ周期を有する、
請求項１記載の方法。
【請求項４】
前記個々の駆動信号は、振幅変調信号又はデューティサイクル変調信号である、
請求項３記載の方法。
【請求項５】
複数の照明セグメントと、
それぞれの照明セグメントから放出された光の照明強度及び／又は色を検出する検出サブシステムと、
それぞれの照明セグメントから放出された光の照明強度及び／又は色を表す前記検出サブシステムの出力信号を受け、予め決定された照明の設定に従って、それぞれの照明セグメントから放出された光の照明強度及び／又は色を調節するように、前記出力信号に応答して、それぞれの照明セグメントの駆動電流をそれぞれ調節する制御手段とを備え、
前記駆動信号のそれぞれのセットは、他の照明セグメントに対応する駆動信号の他のセットの周期とは異なる固有の周期を有し、
前記検出サブシステムは、
それぞれの照明セグメントから放出された光の少なくとも１部の組み合わせからなる混合された照明強度及び／又は色を検出する共通のセンサと、
前記混合された照明強度及び／又は色を表すセンサ出力信号をデジタル信号に変換するアナログ／デジタル変換器と、
前記照明セグメントのそれぞれから放出される光のそれぞれの照明強度及び／又は色を取得するために、前記デジタル信号に離散コサイン変換を施すプロセッサと、を有する、ことを特徴とする照明システム。
【請求項６】
前記検出サブシステムは、それぞれの照明セグメントから放出された光の少なくとも１部を前記共通のセンサに誘導する共通の光誘導手段を更に有する、
請求項５記載の照明システム。
【請求項７】
前記共通の光誘導手段は、
光ガイドと、
前記光ガイドの一方の表面に、前記光ガイドの延長方向に沿って配置される複数の光偏向手段であって、前記光偏向手段のそれぞれは、複数のV字型のプリズム構造を有しており、前記光偏向手段のそれぞれのプリズムの数及びそれぞれのプリズムのサイズは、前記光偏向手段に対応する照明セグメントから到来する光のうちの予め決定された割合の光が前記共通のセンサの方向に偏向されるように設計される、
請求項６記載の照明システム。
【請求項８】
それぞれの照明セグメントは、同じ照明セグメントにおける他のLEDアレイの色とは異なる色の少なくとも１つの独立に制御されるLEDアレイを有し、
それぞれのLEDアレイの駆動電流は、駆動信号の同じセットにおける個々の駆動信号により調節され、
前記同じセットにおける駆動信号のそれぞれは、同じ周期を有する、
請求項５記載の照明システム。
【発明の詳細な説明】
【技術分野】
【０００１】
本発明は、照明の分野に関し、特に、複数の照明セグメントの照明特性を制御する方法及びシステムに関するものである。更に、本発明は、本発明の方法及びシステムで使用することができる導光手段に関するものである。
【背景技術】
【０００２】
発光ダイオード（LED）に基づく照明は、特に動的表示向けの多色照明の効果を生成する効果的な手段となっている。現在、赤の光、緑の光、青の光又はベースカラーをもつ他の色から様々な色を生成する技術が開発されている。
【０００３】
しかし、LED光源に存在する幾つかの問題が存在しており、たとえばLEDの性能は、温度及び時間と共に変化する場合があり、結果として、幾つかの状況における空間／色のメンテナンス又は人間の目の感知の要件を達成することができない。これらの問題を克服するために、負のフィードバックを使用した従来技術における幾つかの制御のソリューションが存在する。
【０００４】
たとえば、負のフィードバックによる強度／色制御の光源において、出力光を検出するために磁束センサ又は色センサが使用され、検出された結果は、予め較正された基準と比較される。次いで、検出された結果と予め較正された基準との間の誤差が制御アルゴリズムにより更に対処され、パルス幅変調又は振幅変調の何れかによりLEDの駆動電流を決定するために使用される。このように、検出された結果は、予め較正された基準と一致するように保持することができ、出力の照明強度又は色は、これに応じて安定して維持される。
【発明の概要】
【発明が解決しようとする課題】
【０００５】
しかし、従来技術において幾つかの問題が存在する。たとえば、幾つかの状況について、異なる時間期間において異なる照明セグメントが通常検出され、これにより、検出された結果は、実時間ではないものとなる場合がある。さらに、１つのLEDアレイについて１つのセンサに適合するために複数のセンサが必要とされる場合があり、これにより、照明システムの構造の設計及びコスト制御に副作用をもたらす場合がある。異なるセンサ間の個々の違い、及び異なるセンサ間での時間と共に変動する検出性能（たとえば減衰性能）の変化の違いは、照明システムのクローズループ制御の効果における違いを招く場合があり、これは、実際の適用において除かれることが期待される。
【課題を解決するための手段】
【０００６】
本発明は、複数の照明セグメントの照明特性を制御する方法及びシステムを提供する。
【０００７】
本発明の１態様によれば、複数の照明セグメントの照明特性を制御する方法が提供され、本方法は、駆動電流をそれぞれの照明セグメントに供給するステップ、それぞれの照明セグメントから放出される光の照明強度及び／又は色を検出するステップ、予め決定された照明の設定に従ってそれぞれの照明セグメントの照明強度及び／又は色を調節するように、駆動信号のセットで、それぞれの照明セグメントの駆動電流を調節するステップを含んでおり、駆動信号のそれぞれのセットは、他の照明セグメントに対応する駆動信号の他のセットの周期と特徴とは異なる固有の周期の特徴を有しており、駆動信号のそれぞれのセットは、それぞれ対応する照明セグメントから放出された、検出された照明強度及び／又は色に応答する。
【０００８】
本発明では、それぞれの照明セグメントの駆動電流を調節するために固有の周期の特徴をもつ駆動信号が使用される。従って、それぞれの照明セグメントから放出される光は、異なる周期（周波数）の特徴を有し、これに応じて、検出された信号は、異なる周期（周波数）の特徴を有し、それぞれの照明セグメントの信号は、同じ時間で検出することができ、正確に識別することができる。
【０００９】
本発明により提供される方法の１実施の形態によれば、検出ステップは、１つのセンサ、すなわち共通のセンサを使用して、それぞれの照明セグメントから放出される光の少なくとも１部の組み合わせからなる混合された照明強度及び／又は色を検出するサブステップ、混合された照明強度及び／又は色からそれぞれの照明セグメントから放出された光のそれぞれの照明強度及び又は色を識別するサブステップを含む。
【００１０】
従来技術では、複数の照明セグメントの照明強度及び／又は色を検出するために複数のセンサが使用され、それぞれの照明セグメントには、１つのセンサが設けられる。しかし、異なるセンサの間で個々の性能の違いが存在し、また、異なるセンサ間での時間と共に変動する減衰特性の違いが存在するので、係る制御は、ベストエフォートを殆ど達成しない。本発明の上述された実施の形態では、全ての照明セグメントの照明強度及び／又は色を検出するために唯一の共通のセンサが使用され、これにより、上述された従来技術の制約を克服することができ、一様な検出の結果を提供することができる。共通のセンサの減衰特性は、それぞれの照明セグメントに同じ作用をもたらし、制御の作用は、安定なレベルで保持することができる。
【００１１】
本発明の第二の態様によれば、光ガイド及び複数の光偏向ユニットを有する導光手段が提供され、複数の光偏向ユニットは、光ガイドの延長方向に沿って光ガイドの１つの同じ表面に配置され、それぞれの光偏向ユニットが、光ガイドの延長方向の１つの同じ方向にその反対側から到来する光の少なくとも１部を偏向可能なように構成される。
【００１２】
本発明の第三の態様によれば、複数の照明セグメント、検出サブシステム及びコントローラを有する照明システムが提供され、検出サブシステムは、それぞれの照明セグメントから放出された光の照明強度及び／又は色を検出し、コントローラは、それぞれの照明セグメントから放出された光の照明強度及び／又は色を表す、検出サブシステムの出力信号受け、予め決定された照明の設定に従ってそれぞれの照明セグメントの照明強度及び／又は色を調節するように、出力信号に応答してそれぞれの照明セグメントの駆動電流をそれぞれ調節する駆動信号のセットを生成する。
【００１３】
本発明の照明システムの１実施の形態では、検出サブシステムは、それぞれの照明セグメントから放出された光の少なくとも一部の組み合わせからなる混合された照明強度及び／又は色を検出する共通のセンサを有しており、検出サブシステムは、混合された照明強度及び／又は色から、それぞれの照明セグメントから放出された照明強度及び／又は色のそれぞれを識別する識別ユニットを更に有する。
【００１４】
本発明の照明システムの１実施の形態では、検出サブシステムは、共通のセンサにそれぞれの照明セグメントから放出された光を少なくとも１部を誘導する共通の光誘導手段を更に有する。
【図面の簡単な説明】
【００１５】
本発明の他の特徴、目的及び利点は、添付図面と共に説明される限定するものではない例示的な実施の形態に関する以下の詳細な説明から更に明らかとなるであろう。図面において、同一又は類似の参照符号は、同一又は類似のステップ、特徴又はデバイス（モジュール）を示す。
【図１】本発明の実施の形態に係る、複数の照明セグメントの照明特性を制御する方法のフローチャートである。
【図２】本発明の実施の形態に係る方法における検出ステップのフローチャートである。
【図３】本発明の実施の形態に係る方法における識別するサブステップのフローチャートである。
【図４】本発明の実施の形態に係る照明セグメントの概念図である。
【図５】本発明の実施の形態に係る光誘導手段の構造とそのLEDアレイとの位置的な関係を示す図である。
【図６】本発明の実施の形態に係る光誘導手段の部分的な断面図である。
【図７】本発明の実施の形態に係る光ガイドの立体図である。
【図８】本発明の実施の形態に係る光ガイドの側面の断面図である。
【図９】本発明の実施の形態に係る照明システムの構造的な概念図である。
【図１０】本発明の実施の形態に係る照明システムの断面図である。
【図１１】本発明の実施の形態に係る照明システムの断面図である。
【図１２】本発明の実施の形態に係る、表面分布により照明システムにおいて使用することができる、光誘導手段の図である。
【発明を実施するための形態】
【００１６】
図１は、本発明の１実施の形態に係る、複数の照明セグメントの照明特性を制御する方法のフローチャートである。
【００１７】
ステップＳ１において、駆動電流は、それぞれの照明セグメントにそれぞれ供給される。  
ステップＳ３において、それぞれの照明セグメントから放出される光の照明強度及び／又は色がそれぞれ検出される。たとえば、それぞれの照明セグメントが１つの単色LEDアレイのみを含む場合、それぞれの照明セグメントから放出された光の照明強度を検出するために強度センサが使用される。知られているように、様々な混合された色を得るために、異なるベースカラーのパーセンテージ（又は寄与）を調節することで、２以上のベースカラーを混合することができる。それぞれの照明セグメントが異なるベースカラーをもつ複数の光源を有する場合、それぞれの照明セグメントから放出された光の照明強度及び／又は色を検出するために色センサが使用される。
【００１８】
ステップＳ５において、それぞれの照明セグメントの駆動電流は、駆動信号のセットによりそれぞれ調節され、駆動信号のそれぞれのセットは、他の照明セグメントに対応する駆動信号の他のセットの周期の特徴とは区別される固有の周期の特徴を有し、駆動信号のそれぞれのセットは、対応する照明セグメントから放出された光の検出された照明強度及び／又は色に応答して、予め決定された照明の設定に従って、それぞれの照明セグメントの照明強度及び／又は色を調節する。たとえば、第一の照明セグメントに対応する駆動信号の第一のセットの周期は、２ｍｓとして設定され、第二の照明セグメントに対応する駆動信号の第二のセットの周期は、３ｍｓとして設定され、第三の照明セグメントに対応する駆動信号の第三のセットの周期は、７ｍｓとして設定される、等である。予め決定された照明の設定は、異なる状況に応じて変えることができる。たとえば、それぞれの照明セグメントが白色光のみを放出する場合、予め決定された照明の設定は、安定且つ一様な照明を提供するように、それぞれの照明セグメントが近似的に同じ照明の強度であることを要求する。それぞれの照明セグメントが異なるベースカラーからなる複数のLEDアレイを有する場合、照明の設定は、それぞれの照明セグメントから放出される光が特定のパターンを形成することを要求し、勿論、映画の投影に類似している、それぞれの照明セグメントが変化可能なパターンを形成することができるように、照明の設定は、時間と共に変化することができる。
【００１９】
クローズループ制御は、ステップＳ１，Ｓ３及びＳ５を循環的に実行することで形成される。それぞれの照明セグメントから放出される光の特性を検出することで、異なるベースカラーの寄与を調節して、照明セグメントから放出される光に関する色制御を達成することができる。本発明の１実施の形態では、それぞれの照明セグメントから放出された光の照明強度及び色を検出することで、検出された信号を達成することができ、この検出された信号は、フィードバック情報を取得するために予め決定された色設定と比較するために使用され、フィードバック情報は、それぞれの照明セグメントの駆動電流を調節するために使用される駆動信号に変換され、これにより所望の色を取得することができる。本発明の方法は、それぞれの照明セグメントの駆動電流を調節するために固有の周期の特徴をもつ駆動信号を含み、それぞれの照明セグメントから放出された光も固有の周期の特徴を有し、それぞれの照明セグメントの検出された信号は、同様に固有の周期（周波数）の特徴を有し、従って、それぞれの照明セグメントの照明強度及び／又は色は、同時に検出することができ、正確に識別することができる。
【００２０】
図２は、本発明の実施の形態に係る方法における検出ステップのフローチャートである。図２に示されるように、本実施の形態における検出ステップＳ３は、検出サブシステムＳ３１及び識別サブステップＳ３３を含む。
【００２１】
検出サブステップＳ３１では、それぞれの照明セグメントから放出された光の少なくとも１つの組み合わせからなる混合された照明強度及び／又は色は、共通のセンサを使用することで検出される。識別サブステップＳ３３では、それぞれの照明セグメントから放出される光のそれぞれの照明強度及び／又は色は、混合された照明強度及び／又は色から識別される。検出するサブステップＳ３１では、それぞれの照明セグメントから放出された光の少なくとも１部は、共通の光誘導手段を介して共通のセンサに誘導される。それぞれの照明セグメントにそれぞれ対応する駆動信号のそれぞれのセットは異なる周期の特徴を有するので、それぞれの照明セグメントから放出された光も同様に固有の周期の特徴を有し、従って、共通のセンサの出力は、異なる周期の特徴をもつ電気信号の重ね合わせ信号である。従って、識別するサブステップＳ３３では、それぞれの照明セグメントの照明強度及び／又は色は、アナログ信号のフィルタリング又はデジタル信号処理等により、共通のセンサの出力信号から抽出される。
【００２２】
図３は、本発明の実施の形態に係る方法における識別するサブステップのフローチャートである。図３に示されるように、本実施の形態における識別するサブステップＳ３３は、サブステップＳ３３１及びＳ３３３を含む。サブステップＳ３３１では、複数の照明セグメントの結合された照明強度及び／又は色を表すセンサの出力信号は、アナログ／デジタルコンバータ（A/D変換器）によりデジタル信号に変換される。サブステップＳ３３３では、上述されたデジタル信号は、それぞれの照明エレメントの照明強度及び／又は色にそれぞれ対応する信号を区別するために、デジタルシグナルプロセッサ（DSP）により処理される。たとえば、限定されるものではないが、デジタルシグナルプロセッサによる処理は、デジタル信号を周波数領域で処理することができるように、A/D変換器からのデジタル信号に離散コサイン変換を施すことを含む。当業者であれば、A/D変換器からデジタル信号を処理して変換領域で信号を処理するために他の公知の変換方法が使用されることも可能であることを理解されるであろう。
【００２３】
本発明の方法の別の実施の形態では、検出するステップＳ３は、複数の光誘導手段を使用して、共通のセンサに、それぞれの照明セグメントから放出された光の少なくとも１部を誘導するサブステップを含む。たとえば、光誘導手段として、光ファイバを使用することができ、それぞれの照明セグメントから放出された光の少なくとも１部は、複数の光ファイバのうちの１つを通して共通のセンサのそれぞれ伝送される。共通のセンサは、それぞれの照明セグメントからの光の組み合わせからなる照明強度及び／又は色を検出するために使用される。
【００２４】
本発明の方法の１実施の形態によれば、それぞれの照明セグメントは、１つのLEDアレイ、それぞれの照明セグメントのLEDアレイの駆動電流は、独立の駆動信号によりそれぞれ調節され、それぞれの駆動信号は、他の駆動信号の周期とは異なる周期の特徴を有する。
【００２５】
本発明の方法の別の実施の形態によれば、それぞれの照明セグメントは、複数のLEDアレイを有しており、同じ照明セグメントにおけるそれぞれのLEDアレイの色は、互いに異なり、同じ照明セグメントにおけるそれぞれのLEDアレイの駆動電流は、駆動電流の同じセットにおける独立の駆動信号により調節することができ、駆動信号のそれぞれのセットは、他のセットの周期とは異なる周期の特徴を有する。
【００２６】
図４は、本発明の実施の形態に係る照明セグメントの図である。本実施の形態における照明セグメント２１は、３つのLEDアレイ２２ａ，２２ｂ及び２２ｃを有しており、係る３つのLEDアレイは、異なる色を有しており、それぞれのLEDアレイは、複数のLEDパーティクルから構成される。コントローラ２９は、照明セグメント２１に駆動信号のセットを供給するために使用され、駆動信号のセットは、同じ周期の特徴をもつ３つの独立な駆動信号を含み、これらの駆動信号は、それらのアレイのぞれぞれの照明強度を調節するように、LEDアレイ２２ａ，２２ｂ及び２２ｃの駆動電流を調節するためにそれぞれ使用される。それぞれの駆動信号は、たとえば限定されるものではないが、振幅変調信号又はデューティサイクル変調信号である。照明セグメント２１において異なるベースカラーをもつLEDアレイの照明強度を調節することで、照明セグメント２１から放出された光の強度及び色を調節することができる。たとえば、限定されるものではないが、LEDアレイ２２ａ，２２ｂ及び２２ｃの色は、赤、緑又は青から選択することができる。
【００２７】
図５は、本発明の実施の形態に係る、光誘導手段の構造、及びそのLEDアレイとの位置的な関係を示す。図６は、光誘導手段の部分的な断面図を例示する。光誘導手段１１は、光ガイド１２、光ガイド１２の延長方向１２に沿って、光ガイド１２の一方の表面に位置される複数の光偏向ユニット１３を有する。複数の照明セグメント２１は、光ガイド１２の下であって、光偏向ユニット１３の位置の下に位置される。それぞれの照明セグメント２１は、複数のLEDアレイ２２ａ，２２ｂ及び２２ｃを有する。図６に示されるように、矢印は、光偏向ユニット１３の反対側から到来する光を示しており、光の一部分は、光ガイド１２を透過して、光ガイド１２の他の側に進行し、光の別の部分は、光偏向ユニット１３により光ガイド１２の延長方向に偏向され、光ガイド１２内の延長方向に偏向される光の透過は、内部全反射に類似している。それぞれの光偏向ユニット１３は、それぞれ対応する光セグメント２１の光の一部を光ガイド１２に沿った延長方向と同じ方向に偏向し、同じ方向に偏向された光は、検出のために使用することができる。この方向での光ガイド１３の端部は、検出エンドと呼ばれる。
【００２８】
本実施の形態では、光偏向ユニット１３は、プリズムの数、それぞれのサイズ及び傾斜角度の設計に基づいて、のこぎり歯のような形状をもつ、複数のVカットのプリズム構造１４から構成されることが好ましく、光偏向ユニット１３により偏向された光強度のパーセンテージを制御することは都合がよい。光偏向ユニット１３は、図５に示されるように、不連続に、又は不完全に連続して整列される複数のV字型のプリズム構造１４により構築することができ、光偏向ユニット１３は、連続して整列される複数のV字型のプリズム構造１４により構築することもできる。勿論、それぞれの光偏向ユニット１３は、台形の形状、円弧の形状又は他の形状をもつプリズム構造により構築することができる。それぞれの光偏向ユニット１３のプリズムの数及びそれぞれのプリズムのサイズは、その対応する光セグメントから到来する光の予め決定されたペーセンテージが、同じ方向に偏向されるように設計される。
【００２９】
光偏向ユニットが検出の端から遠く離れると、光偏向ユニットにより偏向される光はより多くの損失を受ける。これは、更なる伝送距離及び途中にある他の光偏向ユニットの分散のためであり、従ってそれぞれの光偏向ユニットに含まれるプリズムの数は、完全に同じではない。検出の端に近い距離をもつ光偏向ユニットは、少ないプリズムを有し、検出の端に遠い距離をもつ光偏向ユニットは、多くのプリズムを有する。上述された設計により、それぞれの光検出ユニットにより偏向され、検出の端の伝送される光の強度は、ほとんど同じとなり、センサの検出範囲の要件を低くする。
【００３０】
光ガイド１２は、以下の材料の少なくとも１つから形成される。ポリエチレン、ポリアミド、ポリプロピレン、ポリメチル・メタクリレート（PMMA）、ポリカーボネート（PC）、ポリスチレン（PS）。光ガイド１２は、二酸化ケイ素又は光ガラスを製造するために使用される任意の他の材料から構成することもできる。知られているように、全ての上述された材料は、光伝送の良好な性能を有する。
【００３１】
図７に示されるように、光ガイド１２の上に位置されるカバーレイヤ１７が存在する。カバーレイヤ１７は、PMMA又はPCから通常は構成され、保護のために使用される。カバーリングレイヤ１７と光ガイド１２の間のギャップ１６が存在し、ギャップ１６は、光ガイド１２の屈折率よりも低い反射率を持つ材料から一般的に選択された材料で充填され、延長方向に沿った光ガイド１２の内部全反射の作用を確実にする。
【００３２】
図８は、本発明の別の実施の形態に係る、光ガイドの側断面図及び断面図を示す。本実施の形態における光ガイドは、光ファイバコア１９及び光ファイバのジャケットレイヤ１８を有する光ファイバから形成される。光偏向ユニット１３は、光ファイバの同じ側に位置されており、光ファイバの他の側から到来する光の一部は、光ファイバに沿った延長方向と同じ方向に偏向される。実施の形態では、それぞれの光偏向ユニット１３は、V字型のサイドプロファイルをもつ幾つかのプリズム構造から構成され、参照符号１５は、光ファイバの側面の切開したハッチングラインを表す。光ファイバコア及び光ファイバのジャケットレイヤの屈折率がそれぞれ１．４９２及び１．４１７である場合、光ファイバコア及び光ファイバのジャケットレイヤの全反射の閾値角度は、それぞれ４２°及び４４°であり、プリズム構造のねじ山の角度（included  angle）αは、２つの閾値角度よりも大きく設定され、たとえば４６°に設定され、これにより、光ファイバの側から到来する光の一部は、偏向され、光ファイバ内で伝送される。
【００３３】
通常、上述された方法を実現する照明システムは、本発明の目的を達成する対応する装置と共に構成され、それぞれの装置は、上述された方法のそれぞれのステップ又はサブステップを実現するためにそれぞれ使用される。
【００３４】
図９は、本発明の実施の形態に係る、照明システムの構造を説明する図である。図示されるように、照明システムは、光誘導手段１１、共通のセンサ２６、A/D変換器２７、デジタルシグナルプロセッサ（DSP）２８、コントローラ２９及び複数の照明セグメント２１を有しており、図９では、２つの照明セグメント２１−１及び２１−２のみが示されている。
【００３５】
実施の形態では、それぞれの照明セグメント２１は、３つのLEDアレイ２２ａ，２２ｂ及び２２ｃを有する。LEDアレイ２２ａは、赤の光を放出し、LEDアレイ２２ｂは、緑の光を放出し、LEDアレイ２２ｃは、青の光を放出する。共通のセンサ２６は、色センサであり、この色センサは、３つの色、すなわち赤、緑及び青の色を識別することができる。本発明の他の実施の形態では、それぞれの照明セグメントは、２以上の異なる色をもつLEDアレイを有しており、それぞれのLEDアレイの色は、限定されるものではないが、赤、緑及び青であり、色センサにより識別することができるベースカラーは、限定されるものではないが、赤、緑及び青である。
【００３６】
コントローラ２９は、それぞれの照明セグメントの３つのLEDアレイの駆動電流をそれぞれ調節する３つの独立な駆動信号からなるセットを生成する。駆動信号からなるそれぞれのセットは、異なる周期の特徴を有しており、たとえば第一の照明セグメント２１−１の駆動信号の周期は２ｍｓ、第二の照明セグメント２１−２の駆動信号の周期は３ｍｓ、等である。好ましくは、全ての駆動信号は、振幅変調された正弦波信号である。たとえば、第一の照明セグメント２１−１の３つのLEDアレイの全ての駆動信号は、0.5kHzの周波数をもつ振幅変調された正弦波信号であり、第二の照明セグメント２１−２の３つのLEDアレイの全ての駆動信号は、0.33kHzの周波数をもつ振幅変調された正弦波信号である。
【００３７】
光誘導手段１１は、図５及び図７を参照して上述された光誘導手段のうちの１つから選択される。
【００３８】
全ての照明セグメント２１の赤のLEDアレイ２２ａから放出される光の一部は、偏向手段により偏向され、光誘導手段１１において伝送されて重ね合わされ、共通のセンサ２６は、混合された赤の光強度を検出し、赤の光の電気信号を出力する。それぞれの赤のLEDアレイ２２ａは、異なる周波数をもつ正弦波信号によりそれぞれ調節することができるので、赤の光の検出された電気信号は、様々な周波数成分を含み、主要な周波数成分は、0.5kHz，0.33kHz、すなわちそれぞれの照明セグメントの駆動信号の周波数、及びそれらの周波数逓倍の周波数を含む。これら周波数逓倍信号は、発光及び検出の非線形の特性により主に生じる。
【００３９】
A/D変換器２７は、赤の光の検出された電気信号をデジタル信号に変換し、デジタル信号を処理のためにDSP２８に送出する。DSP２８での処理は、それぞれの照明セグメントの赤のLEDアレイの強度を識別するために、離散コサイン変換、デジタルフィルタリング等を含む。それぞれの照明セグメントの駆動信号の周波数は固有であるため、フィルタリング、識別の処理は簡単である。たとえば、0.5kHz及びその周波数逓倍の周波数成分をもつ信号は、第一の照明セグメント２１−１の赤のLEDアレイから到来したときに識別され、0.33kHZ及びその周波数逓倍の周波数成分を持つ信号は、第二の照明セグメント２１−２の赤のLEDアレイから到来したときに識別される、等である。それぞれの照明セグメントの駆動信号の周波数は、それらの周波数逓倍との相互干渉をできるだけ減少するように、特別に設定される。第一の照明セグメント２１−１の赤のLEDアレイから到来するそれぞれの周波数成分のエネルギーは、その検出された照明強度に追加され、他の照明セグメントの赤のLEDアレイの照明強度は、同様のやり方で取得することができる。それぞれの緑のLEDアレイ及びそれぞれの青のLEDアレイの検出及び識別は、それぞれの赤のアレイの検出及び識別と同様である。
【００４０】
コントローラ２９は、それぞれのLEDアレイの検出された照明強度と予め決定された照明の設定とを比較し、比較結果に従ってそれぞれのLEDアレイの駆動信号を調節する。
【００４１】
一般に、それぞれのLEDアレイから放出された光は、照明のために主に使用され、検出のために偏向された光のパーセンテージは、５％未満であり、光の分離の係るパーセンテージ（LEDアレイから放出される全体の光において検出するために使用される光のパーセンテージ）により引き起こされる人間の目により感知される照明効果への影響は、無視することができる。好ましくは、コントローラ２９は、それぞれのLEDアレイの光の分離のパーセンテージに従って、それぞれのLEDアレイの駆動信号を補償することもできる。
【００４２】
本発明の照明システムの他の実施の形態では、それぞれの照明セグメント２１は、白色光を放出する１つのLEDアレイのような、１つのLEDアレイのみを有しており、この状況において、共通のセンサ２６は、光強度を検出するためにのみ使用することができる。
【００４３】
本発明の照明システムの他の実施の形態では、A/D変換器２７、デジタルシグナルプロセッサ２８は、アナログフィルタのような回路又は装置により置き換えることができる。
【００４４】
本発明の照明システムの他の実施の形態では、照明システムは、たとえば光ファイバのような複数の光誘導手段を有しており、それぞれの照明セグメントには、光誘導手段がそれぞれ設けられている。それぞれの照明セグメントから放出された光の一部は、複数の光誘導手段のうちの１つを介して共通のセンサに伝送することができ、混合された光の照明強度及び／又は色は、共通のセンサにより感知することができる。
【００４５】
図１０は、本発明の実施の形態に係る、照明システムの断面図である。本実施の形態の照明システムは、ハウジング３１、カバープレート３２、光誘導手段１１、複数のLEDアレイ等を備える、ロングストリップからなる形状をもつランプボディを有している。LEDアレイから放出された光の大部分は、照明のために使用されるために、カバープレート３２を透過し、光の僅かの部分は、検出のために使用されるために、光誘導手段１１により偏向される。光誘導手段１１は、本実施の形態では光ファイバから構成され、この光ファイバは、LEDアレイの斜め上であって、ハウジングのエッジ近くに位置される。光誘導手段１１のプリズム構造のハッチングライン１５は、傾いており、それぞれのLEDアレイから直接放出される光に実質的に垂直になるように設定される。
【００４６】
図１１は、本発明の実施の形態に係る、照明システムの断面図である。本実施の形態における照明システムは、ハウジング３１、カバープレート３２、複数のLEDアレイ等を有する、ロングストリップの形状をもつランプボディを有する。光誘導手段１１は、全体としてカバープレート３２に組み込まれており。LEDアレイから放出された光の大部分は、照明用に使用されるために、カバープレート３２を透過し、光の一部は、光偏向手段１１の光偏向ユニット１３によりセンサに偏向され、検出のために使用される。
【００４７】
図１２は、本発明の実施の形態に係る、光誘導手段を示す図である。光誘導手段は、表面分布をもつ照明システムのために使用することができる。図示されるように、光誘導手段１１は、並列に配置される、複数のストリップのような光ガイド１２を有する。隣接するストリップのような光ガイド１２は、溝４１により互いに分離され、溝４１は、光ガイド１２の屈折率よりも低い屈折率をもつ材料で充填することができる。それぞれの光ガイド１２の一方の端は、光デバイス４２に接続される。それぞれの光ガイドから到来する全ての光は、光デバイス４２において拡散して反射され、共通のセンサ２６により検出されるように、光デバイス４２の一方の端に誘導される。係る光誘導手段を使用した照明システムは、表面分布をもつ照明を提供することができる。
【００４８】
本発明の実施の形態が上述されたが、本発明はこれらの特定のシステム、装置又は材料に限定されるものではなく、当業者であれば、特許請求の範囲で記載された範囲において様々な変形又は変更を行うことができる。
【図１】
0005457461.tif 000002
【図２】
0005457461.tif 000003
【図３】
0005457461.tif 000004
【図４】
0005457461.tif 000005
【図５】
0005457461.tif 000006
【図６】
0005457461.tif 000007
【図７】
0005457461.tif 000008
【図８】
0005457461.tif 000009
【図９】
0005457461.tif 000010
【図１０】
0005457461.tif 000011
【図１１】
0005457461.tif 000012
【図１２】
0005457461.tif 000013